(57)【要約】【課題】簡易な構成でパレット上の荷物を別のパレットに積替えることができる荷物積替え装置を提供する。【解決手段】荷物積替え装置１０は、第１パレット１２の上に敷かれるとともに、荷物Ｎが載置されるボード１６と、第１パレット１２と隣接して配置された第２パレット１４の上へボード１６を引張って移動させる引張手段１８と、ボード１６の引張側に載置され、荷物Ｎの側面に当接する板材２４と、第２パレット１４上に移動した板材２４に当接するストッパ３６と、を有する。【選択図】図１
2018193179.tif 000002
【特許請求の範囲】
【請求項１】
第１パレットの上に敷かれるとともに、荷物が載置されるボードと、
前記第１パレットと隣接して配置された第２パレットの上へ前記ボードを引張って移動させる引張手段と、
前記ボードの引張側に載置され、前記荷物の側面に当接する当接部材と、
前記第２パレット上に移動した前記当接部材に当接するストッパと、
を有する荷物積替え装置。
【請求項２】
前記ボードの両面には、引張方向に沿って延びる複数の突状リブが並列配置されている、請求項１に記載の荷物積替え装置。
【請求項３】
前記第２パレットの移動を制限する拘束部材を有する、請求項１又は２に記載の荷物積替え装置。
【請求項４】
前記引張手段、前記ストッパ、及び前記拘束部材は、ユニット化されている、請求項３に記載の荷物積替え装置。
【請求項５】
前記拘束部材の高さは、前記第２パレットの高さより低い、請求項３又は４に記載の荷物積替え装置。
【請求項６】
前記当接部材は板材であり、前記板材の両端部が前記拘束部材の両側に配置された前記ストッパに当接する、請求項３〜５のいずれか１項に記載の荷物積替え装置。
【請求項７】
前記引張手段は、ワイヤを巻き取るウインチと、前記ワイヤの端部に設けられ、前記ボードの引張側に形成された孔に係止されるフックと、を備える、請求項１〜６のいずれか１項に記載の荷物積替え装置。
【請求項８】
前記引張手段による前記ボードの引張速度は、前記当接部材の前記ストッパへの当接前より当接後の方が速い、請求項１〜７のいずれか１項に記載の荷物積替え装置。
【発明の詳細な説明】
【技術分野】
【０００１】
本発明は、荷物積替え装置に関する。
【背景技術】
【０００２】
物流の現場において、荷物を倉庫内のパレット上から搬送用のパレット上に積替える作業が行われており、通常、このパレット間の積替え作業は人力で行われるため、重労働となっていた。この問題を解決するため、例えば特許文献１には、荷物とパレットとの間に形成された溝に支持棒を差し込み、支持棒で荷物を持上げつつ荷物の下のパレットを別のパレットに取り替える荷物積替え装置が発明されている。
【先行技術文献】
【特許文献】
【０００３】
【特許文献１】特開２０００−１６９０１８号公報
【発明の概要】
【発明が解決しようとする課題】
【０００４】
しかし、特許文献１に記載の荷物積替え装置では、荷物を持上げるために複数の支持棒が必要となり、また、支持棒を支持する支持体や支持棒を持上げる昇降部材等が必要となるため、構造が複雑となっていた。また、支持棒を差し込む溝がパレットに形成されている必要があるため、溝が形成されていないパレットには特許文献１に記載の荷物積替え装置を適用することができず、汎用性が低かった。
【０００５】
本発明は、上記事実を考慮し、簡易な構成でパレット上の荷物を別のパレットに積替えることができる荷物積替え装置を提供することを目的とする。
【課題を解決するための手段】
【０００６】
請求項１に記載の荷物積替え装置は、第１パレットの上に敷かれるとともに、荷物が載置されるボードと、前記第１パレットと隣接して配置された第２パレットの上へ前記ボードを引張って移動させる引張手段と、前記ボードの引張側に載置され、前記荷物の側面に当接する当接部材と、前記第２パレット上に移動した前記当接部材に当接するストッパと、を有する。
【０００７】
上記構成によれば、第１パレットの上に敷かれたボードを引張手段によって引張ることで、ボード及びボードに載置された荷物を第１パレットと隣接して配置された第２パレットの上に移動させることができる。
【０００８】
ここで、引張手段によってさらにボードを引張ると、ボードの引張側に載置された当接部材がストッパに当接して荷物の移動が制限される。この状態で引張手段によってボードを引張ることで、第２パレットと荷物の間からボードを引き抜くことができ、荷物を第２パレットの上に積替えることができる。
【０００９】
請求項２に記載の荷物積替え装置は、請求項１に記載の荷物積替え装置であって、前記ボードの両面には、引張方向に沿って延びる複数の突状リブが並列配置されている。
【００１０】
上記構成によれば、ボードの下面に突状リブが形成されているため、ボードの下面と第１パレットの上面との摩擦抵抗が小さくなり、ボードをスムーズに第２パレットへ移動させることができる。また、ボードの上面に突状リブが形成されているため、ボードの上面と荷物との摩擦抵抗が小さくなり、ボードをスムーズに荷物の下から引き抜くことができる。
【００１１】
請求項３に記載の荷物積替え装置は、請求項１又は２に記載の荷物積替え装置であって、前記第２パレットの移動を制限する拘束部材を有する。
【００１２】
上記構成によれば、第２パレットの移動を制限する拘束部材が設けられているため、ボードを第２パレット上へ移動させる際に、第２パレットがボードの引張方向へずれ動くことを抑制することができる。
【００１３】
請求項４に記載の荷物積替え装置は、請求項３に記載の荷物積替え装置であって、前記引張手段、前記ストッパ、及び前記拘束部材は、ユニット化されている。
【００１４】
上記構成によれば、引張手段、ストッパ、及び拘束部材がユニット化されているため、荷物積替え装置の持ち運び及び設置が容易となる。
【００１５】
請求項５に記載の荷物積替え装置は、請求項３又は４に記載の荷物積替え装置であって、前記拘束部材の高さは、前記第２パレットの高さより低い。
【００１６】
上記構成によれば、拘束部材の高さが第２パレットの高さより低いため、拘束部材の高さが第２パレットの高さより高い構成と比較して、引張手段によってボードを引張る際に拘束部材が干渉することを抑制することができる。
【００１７】
請求項６に記載の荷物積替え装置は、請求項３〜５のいずれか１項に記載の荷物積替え装置であって、前記当接部材は板材であり、前記板材の両端部が前記拘束部材の両側に配置された前記ストッパに当接する。
【００１８】
上記構成によれば、板材の両端部が拘束部材の両側に配置されたストッパに当接することで、板材によって荷物の移動を制限しつつ、板材及び荷物の下からボードを引き抜くことができる。
【００１９】
請求項７に記載の荷物積替え装置は、請求項１〜６のいずれか１項に記載の荷物積替え装置であって、前記引張手段は、ワイヤを巻き取るウインチと、前記ワイヤの端部に設けられ、前記ボードの引張側に形成された孔に係止されるフックと、を備える。
【００２０】
上記構成によれば、ワイヤの端部に設けられたフックをボードの引張側に形成された孔に係止し、ワイヤをウインチで巻き取ることで、ボードを引張って移動させることができる。このため、荷物が重量物であっても容易に積替えることができる。
【００２１】
請求項８に記載の荷物積替え装置は、請求項１〜７のいずれか１項に記載の荷物積替え装置前記引張手段による前記ボードの引張速度は、前記当接部材の前記ストッパへの当接前より当接後の方が速い。
【００２２】
上記構成によれば、当接部材のストッパへの当接後の引張速度を、当接前の引張速度より速くすることで、荷物の下からボードをスムーズに引き抜くことができる。
【発明の効果】
【００２３】
本発明によれば、簡易な構成でパレット上の荷物を別のパレットに積替えることができる。
【図面の簡単な説明】
【００２４】
【図１】第１実施形態における荷物積替え装置を示す斜視図である。
【図２】（Ａ）〜（Ｃ）は、第１実施形態の荷物積替え装置による荷物の積替え手順を示す工程図である。
【図３】（Ａ）〜（Ｃ）は、第２実施形態の荷物積替え装置による荷物の積替え手順を示す工程図である。
【発明を実施するための形態】
【００２５】
（第１実施形態）
以下、本発明の第１実施形態に係る荷物積替え装置について、図１〜図２を参照して説明する。
【００２６】
＜構成＞
本実施形態の荷物積替え装置１０は、例えば倉庫内に置かれた第１パレット１２の上から、第１パレット１２と隣接して配置された搬送用の第２パレット１４の上へ荷物Ｎを積替えるための装置である。具体的には、図１に示すように、荷物積替え装置１０は、荷物Ｎが載置されるボード１６と、ボード１６を引張って移動させる引張手段１８と、を有している。
【００２７】
ボード１６は、第１パレット１２及び第２パレット１４の上面と略同じ大きさの樹脂製の薄板であり、第１パレット１２の上に敷かれている。また、ボード１６の引張手段１８側（以下、「引張側」という。）の一辺には、下方に凸となる湾曲部１６Ａと、湾曲部１６Ａの上端から水平方向に延びた掛り部１６Ｂとが形成されており、掛り部１６Ｂはボード１６の他の三辺より高い位置とされている。
【００２８】
さらに、ボード１６の掛り部１６Ｂには、ボード１６を厚さ方向に貫通する一対の孔２０が形成されている。また、ボード１６の両面（上面及び下面）には、引張側の一辺から対向する一辺に向かって延びる複数の突状リブ２２が並列配置されている。
【００２９】
ボード１６の上には、荷物Ｎとともに当接部材としての板材２４が載置されている。板材２４は、長手方向の長さがボード１６の幅、すなわち第１パレット１２及び第２パレット１４の幅より大きくされており、長手方向両端部がボード１６外に突出している。また、板材２４は、荷物Ｎの引張側の側面に立て掛けられている。
【００３０】
引張手段１８は、クリップ２５等の連結具で端部が二股とされたワイヤ２６と、ワイヤ２６の端部にそれぞれ設けられたフック２８と、ワイヤ２６を巻き取るウインチ３０と、を備えている。また、フック２８は、ボード１６の掛り部１６Ｂに形成された一対の孔２０にそれぞれ係止されている。
【００３１】
ウインチ３０は、モータ３０Ａの駆動力によって回転する電動ウインチであり、第２パレット１４を挟んで第１パレット１２に対向する位置に配置された枠体３２に固定されている。枠体３２は、各辺を構成する４枚の板片から成る略四角形状の部材であり、枠体３２の内周寸法はボード１６（第１パレット１２及び第２パレット１４）の寸法より一回り大きくされている。
【００３２】
また、第２パレット１４側に配置された板片は、第２パレット１４の引張側への移動を制限する拘束部材３４とされており、拘束部材３４（板片）の高さは第２パレット１４の高さより低くされている。
【００３３】
さらに、枠体３２の拘束部材３４に直交する２枚の板片は、ボード１６が第２パレット１４上に移動した際に、板材２４の長手方向両端部にそれぞれ当接するストッパ３６とされている。
【００３４】
一対のストッパ３６（２枚の板片）の高さは第２パレット１４の高さより高くされ、一対のストッパ３６間の距離は、ボード１６の幅より長く、板材２４の長手方向の長さより短くされている。なお、引張手段１８のウインチ３０は、枠体３２の拘束部材３４を構成する板片に対向する板片の長手方向中央部に固定されている。
【００３５】
＜荷物積替え方法＞
次に、荷物積替え装置１０を用いて第１パレット１２の上から第２パレット１４の上へ荷物Ｎを積替える場合について説明する。まず、倉庫内で荷物Ｎを仕分けて保管する際に、予め第１パレット１２の上にボード１６を敷き、ボード１６の上に荷物Ｎを載置しておく。
【００３６】
荷物Ｎを倉庫外に搬送する際には、図２（Ａ）に示すように、荷物Ｎが積まれた第１パレット１２に第２パレット１４を隣接して配置し、第２パレット１４に枠体３２を隣接して配置する。そして、板材２４をボード１６の上に載置して荷物Ｎの引張側の側面に当接させ、引張手段１８のフック２８をボード１６の孔２０に係止させることで引張手段１８とボード１６とを連結する。
【００３７】
次に、図２（Ｂ）に示すように、引張手段１８のウインチ３０でワイヤ２６を巻き取ることにより、ボード１６を引張って第１パレット１２上から第２パレット１４上に移動させる。このとき、枠体３２に設けられた拘束部材３４が第２パレット１４の引張側の側面に当接することにより、第２パレット１４の引張側への移動が制限される。
【００３８】
その後、引張手段１８のウインチ３０でワイヤ２６をさらに巻き取ると、ボード１６がさらに引張られ、ボード１６の引張側に載置された板材２４の長手方向両端部が枠体３２に設けられた一対のストッパ３６にそれぞれ当接して荷物Ｎの移動が制限される。
【００３９】
そして、図２（Ｃ）に示すように、板材２４がストッパ３６に当接した状態でウインチ３０によってボード１６を引張ることで、第２パレット１４と荷物Ｎの間からボード１６を引き抜くことができ、荷物Ｎを第２パレット１４の上に積替えることができる。
【００４０】
なお、ウインチ３０によるワイヤ２６の巻き取り速度、すなわちボード１６の引張速度は、板材２４がストッパ３６に当接する前より当接した後の方が速いことが好ましい。板材２４がストッパ３６に当接した後にボード１６の引張速度を速くすることで、荷物Ｎの下からボード１６をスムーズに引き抜くことができる。
【００４１】
＜作用、効果＞
本実施形態によれば、第１パレット１２の上に敷かれたボード１６を引張手段１８によって引張ることで、ボード１６及びボード１６に載置された荷物Ｎを第２パレット１４の上に移動させることができる。
【００４２】
また、ボード１６に載置された板材２４の長手方向両端部がストッパ３６に当接した状態でボード１６をさらに引張ることで、板材２４によって荷物Ｎの移動を制限しつつ、第２パレット１４と荷物Ｎの間からボード１６を引き抜くことができる。これにより、簡易な構成で荷物Ｎを第２パレット１４の上に積替えることができる。
【００４３】
また、本実施形態によれば、ボード１６の両面に複数の突状リブ２２が形成されている。このため、ボード１６の下面の突状リブ２２が第１パレット１２の上面に当接することで、ボード１６の下面と第１パレット１２の上面との摩擦抵抗が小さくなり、ボード１６をスムーズに第２パレット１４へ移動させることができる。
【００４４】
さらに、ボード１６の上面の突状リブ２２が荷物Ｎの下面に当接することで、ボード１６の上面と荷物Ｎとの摩擦抵抗が小さくなり、ボード１６をスムーズに荷物Ｎの下から引き抜くことができる。
【００４５】
また、本実施形態によれば、拘束部材３４によって第２パレット１４の引張側の移動が制限されているため、ボード１６を第２パレット１４上へ移動させる際に、第２パレット１４がボード１６の引張方向へずれ動くことを抑制することができる。ここで、拘束部材３４の高さが第２パレット１４の高さより低くなっているため、引張手段１８によってボード１６を引張る際に拘束部材３４が干渉することを抑制することができる。
【００４６】
また、本実施形態によれば、引張手段１８が、ワイヤ２６、フック２８、及びウインチ３０で構成されており、ワイヤ２６の端部に設けられたフック２８をボード１６の孔２０に係止し、ワイヤ２６をウインチ３０で巻き取ることで、ボード１６を引張って移動させることができる。このため、荷物Ｎが重量物であっても容易に積替えることができる。
【００４７】
さらに、本実施形態によれば、枠体３２にストッパ３６及び拘束部材３４が形成され、引張手段１８のウインチ３０が枠体３２に固定されていることにより、荷物積替え装置１０のストッパ３６、拘束部材３４、及び引張手段１８がユニット化されている。このため、荷物積替え装置１０の使用時にのみ枠体３２を持ち運んで倉庫内に容易に設置することができ、不使用時に荷物積替え装置１０が邪魔になることを抑制することができる。
【００４８】
（第２実施形態）
次に、本発明の第２実施形態に係る荷物積替え装置について、図３を参照して説明する。なお、第１実施形態と同様の構成については同じ符号を付して説明を省略し、差異点を中心に説明する。
【００４９】
＜構成＞
図３（Ａ）に示すように、本実施形態の荷物積替え装置４０は、第１実施形態の荷物積替え装置１０と同様に、ボード４２と、当接部材としての板材４４と、ボード４２を引張る引張手段４６と、第２パレット１４の移動を制限する拘束部材４８と、板材４４に当接するストッパ５０と、を備えている。
【００５０】
本実施形態において、ボード４２は、湾曲部が形成されておらず平坦形状とされている。また、ボード４２の両面には突状リブが形成されておらず、代わりに例えばフッ素樹脂の塗布等の滑り加工が施されている。さらに、ボード４２の引張側の一辺には、ボード４２を厚さ方向に貫通する１つの孔５２が形成されており、孔５２にはアイレットボルト５４が固定されている。
【００５１】
また、ボード４２上に載置されている板材４４の底面には、例えば樹脂製とされたシート５６が貼り付けられており、シート５６は、ボード４２の上面と荷物Ｎの下面との間に挟まれている。
【００５２】
引張手段４６は、ワイヤ５８と、ワイヤ５８の端部に設けられ、アイレットボルト５４に係止されるフック６０と、ワイヤ５８を巻き取るウインチ６２と、を備えている。なお、ウインチ６２は、倉庫内の壁６４等に固定されている。
【００５３】
第２パレット１４の移動を制限する拘束部材４８は、倉庫の床面６６に突出形成された突起によって構成されている。拘束部材４８（突起）は、第２パレット１４の引張側の側面に沿って延びており、拘束部材４８の突出高さは第２パレット１４の高さより低くされている。
【００５４】
板材４４に当接するストッパ５０は、倉庫の床面６６に突出形成された一対のポールによって構成されている。一対のストッパ５０（ポール）の高さは第２パレット１４の高さより高くされ、一対のストッパ５０間の距離は、ボード４２の幅より長く、板材４４の長手方向の長さより短くされている。
【００５５】
＜荷物積替え方法＞
荷物積替え装置４０を用いて第１パレット１２の上から第２パレット１４の上へ荷物Ｎを積替える場合、第１実施形態と同様に、予め第１パレット１２の上にボード４２を敷き、ボード４２の上に板材４４を載置しておく。そして、板材４４に貼り付けられたシート５６の上に荷物Ｎを載置しておく。
【００５６】
次に、図３（Ａ）に示すように、荷物Ｎが積まれた第１パレット１２に第２パレット１４を隣接して配置し、第２パレット１４に枠体３２を隣接して配置する。このとき、倉庫の床面６６の第１パレット１２が配置される部分には段差部６８が形成されており、第１パレット１２は第２パレット１４より僅かに高い位置に配置される。その後、引張手段４６のフック６０をボード４２の孔５２に固定されたアイレットボルト５４に係止させることで引張手段４６とボード４２とを連結する。
【００５７】
次に、図３（Ｂ）に示すように、引張手段４６のウインチ６２でワイヤ５８を巻き取ることにより、ボード４２を引張って第１パレット１２上から第２パレット１４上に移動させる。このとき、拘束部材４８が第２パレット１４の引張側の側面に当接することにより、第２パレット１４の引張側への移動が制限される。
【００５８】
その後、ウインチ６２でワイヤ５８をさらに巻き取ると、ボード４２がさらに引張られ、ボード４２の引張側に載置された板材４４の長手方向両端部が一対のストッパ５０にそれぞれ当接して荷物Ｎの移動が制限される。
【００５９】
そして、図３（Ｃ）に示すように、板材４４がストッパ５０に当接した状態でウインチ６２によってボード４２を引張ることで、第２パレット１４と荷物Ｎの間からボード４２を引き抜くことができ、荷物Ｎを第２パレット１４の上に積替えることができる。
【００６０】
＜作用、効果＞
本実施形態によれば、ボード４２の両面に滑り加工が施されている。このため、ボード４２の下面と第１パレット１２の上面との摩擦抵抗が小さくなり、ボード４２をスムーズに第２パレット１４へ移動させることができる。また、ボード４２の上面と荷物Ｎとの摩擦抵抗が小さくなり、ボード４２をスムーズに荷物Ｎの下から引き抜くことができる。
【００６１】
また、本実施形態によれば、板材４４の底面にシート５６が貼り付けられており、シート５６は、ボード４２の上面と荷物Ｎの下面との間に挟まれている。このため、ボード４２を移動させる際に、板材４４がすれ動いたり倒れたりすることを抑制することができる。
【００６２】
さらに、本実施形態によれば、倉庫の床面６６の第１パレット１２が配置される部分に段差部６８が形成されている。このため、第１パレット１２を第２パレット１４より僅かに高い位置に配置することができ、第１パレット１２から第２パレット１４にボード４２が移動する際に、第２パレット１４の角部にボード４２が引掛かることを抑制することができる。
【００６３】
（その他の実施形態）
なお、本発明について第１、第２実施形態を説明したが、本発明はかかる実施形態に限定されるものではなく、本発明の範囲内にて他の種々の実施形態が可能である。
【００６４】
例えば、第１、第２実施形態において、引張手段１８、４６はウインチ３０、６２を備えており、ウインチ３０、６２でワイヤ２６、５８を巻き取ることで、ボード１６、４２を引張って移動させていた。しかし、荷物Ｎが軽量物である場合には、荷物Ｎが重量物である場合と比較して軽い力でボード１６、４２を移動させることができるため、ワイヤ２６、５８を人力で引張ってボード１６、４２を移動させる構成としてもよい。
【００６５】
同様に、荷物Ｎが軽量物である場合には、荷物Ｎが重量物である場合と比較してボード１６、４２と荷物Ｎとの間、及びボード１６、４２と第１パレット１２との間の摩擦抵抗が小さくなる。このため、ボード１６、４２の両面に、突状リブ２２や滑り加工が設けられていなくてもよい。
【００６６】
さらに、荷物Ｎが軽量物である場合には、ボード１６、４２を第２パレット１４上へ移動させる際に、第２パレット１４がボード１６、４２の引張方向へずれ動く虞が少ない。このため、第２パレット１４の移動を制限する拘束部材３４、４８が設けられていなくてもよい。
【００６７】
また、第２実施形態において、ボード４２の下面に滑り加工を施すことで、ボード４２と第１パレット１２との間の摩擦抵抗を小さくしていた。しかし、第１パレット１２の上面に離型紙等の滑り材を敷くことで、ボード４２と第１パレット１２との間の摩擦抵抗を小さくしてもよい。さらに、第１、第２実施形態において、引張手段１８、４６がワイヤ２６、５８の代わりにベルトを備えていてもよい。
【符号の説明】
【００６８】
１０、４０           荷物積替え装置
１２                 第１パレット
１４                 第２パレット
１６、４２           ボード
１８、４６           引張部材
２０、５２           孔
２２                 突状リブ
２４、４４           板材
２６、５８           ワイヤ
２８、６０           フック
３０、６２           ウインチ
３４、４８           拘束部材
３６、５０           ストッパ
Ｎ                   荷物
【図１】
2018193179.tif 000003
【図２】
2018193179.tif 000004
【図３】
2018193179.tif 000005